(57)【要約】      （修正有）【課題】マンション等集合住宅内のベランダ・バルコニー等の狭隘な場所にも低費用と簡易な工法での自家制作、そして自家内で鑑賞できるようにした遠望風景式盤上庭園制作システムを提供する。【解決手段】７００ｍｍ内外の脚台上に９００ｍｍ×１８００ｍｍサイズ（基準）の水盤や平盤を据え、分類の部材目録から各種部材を選択して盤上で組合わせ、仕上げには遠望風景表現には欠かせない遠山連山のパネルを配し、青い天空の背景パネルを額縁的効果でもって張り巡らせ、山河や海洋の広大な遠望風景を表現した小空間大風景の庭園を制作する。【選択図】  図３
2007001275.tif 000002
【特許請求の範囲】
【請求項１】
広い敷地、多額の工事費、そして専門的な設計施工を要する風景式日本庭園を、マンション等集合住宅内のベランダ・バルコニー等狭隘な場所にも低費用と簡易な工法での自家制作、そして自家内で鑑賞できるようにした遠望風景式盤上庭園制作システム
【請求項２】
背景パネルの据付装置を配した遠望風景式盤上庭園用の水盤
【請求項３】
水盤四方隅の水抜穴と水盤後部角に電線設置溝を設けた遠望風景式盤上庭園用の水盤
【請求項４】
遠望風景式盤上庭園用の額的天空背景パネル
【請求項５】
表面に碧空、裏面に浮雲等両面を使用する遠望風景式盤上庭園用の額的天空背景パネル
【請求項６】
遠望風景式盤上庭園用の連山背景パネル
【請求項７】
表面に夏山、裏面に頂上冠雪の山等両面を使用する遠望風景式盤上庭園用の連山背景パネル
【請求項８】
植木鉢埋込式の模造岩石
【発明の詳細な説明】
【技術分野】
【０００１】  マンション等集合住宅内のベランダ・バルコニー・テラス、宅地内の狭隘地、ならびに飲食店・ホテル・事務所等室内への日本庭園式風景庭園作りに、樹木石材等多種多数多様の用途毎分類の各部材の組立工作方法で制作を容易ならしめた遠望風景式庭園制作システムである。
【背景技術】
【０００２】  庭のないマンションなど集合住宅の増加、ならびに一般家庭宅地上には建物の大型化のほか複数の駐車スペースを持つなど住居様式の変化により余剰地は極く少なくなり、敷地を広く使って樹木を植え込み石を埋め据える従来手法の風景式庭園作りはなかなか望み難い事情に至っている。そして家庭のそういう状況の狭隘な空間は、一般的に色彩華やかな花園としてのフラワーガーデンに利用されているものの、風景を表現したランドスケープガーデンへの利用はなく、さらに造園界、園芸界においても、いまだ全く試みられてさえいないのであり、狭隘地、狭隘場所での風景式庭園作りの方法を、日本庭園愛好者ならびに事業用顧客向け施設の一環に提供するものである。
【発明の開示】
【発明が解決しようとしている課題】
【０００３】  従来の風景式庭園作りに必要な
▲１▼広い用地  ▲２▼多額の工事費  ▲３▼施工技術技能の高度性、などの物理面経済面は狭隘地狭隘場所に手軽に風景式庭園を作るための難点なのである。またリアルな風景式庭園は▲４▼樹石は固定配置であるから風景作品は不動で無変化で作品が単調化することも解決したい問題点とした。
【課題を解決するための手段】
【０００４】  地上の風景式庭園作りの発想を転換し、小空間の遠望風景式庭園作りを構想することによって前出の課題に対応した。
▲１▼ベランダやバルコニーなど狭隘な場所に  ▲２▼低費用で済む  ▲３▼制作のシステム化による簡易な自家制作  ▲４▼遠望景用の部材の樹石は非固定配置で移動や取替が自由であり、作品の模様替えが自在に出来る。
７００ｍｍ内外の脚台上に９００ｍｍ×１８００ｍｍサイズ（基準）の水盤や平盤を据え、分類の部材目録から各種部材を選択して盤上で組合わせ、仕上げには遠望風景表現には欠かせない遠山連山のパネルを配し、青い天空の背景パネルを額縁的効果でもって張り巡らせ、山河や海洋の広大な遠望風景を表現した小空間大風景の庭園を制作する。
地上の風景式庭園作りでは、希望する天然部材の調達に不都合不便が少なくないが、発明の遠望風景式盤上庭園作りでは、主部材が豊富な模造樹木・模造岩石であり、その多品種多数多様の部材を細部に分類整理し、調達難のない部材の組合せによる制作にシステム化している。
遠望風景式盤上制作システムでは、絵画がキャンバス上に遠望景をデッサンし塗り直しを重ね被写体の移動消去も試みながら描き納めていく画法のように部材の配置替や変更が容易に何度でも出来るから制作の面白みと鑑賞の巾が広がる。
この発明の遠望風景式盤上庭園制作システムの妙味は、造園と園芸それぞれの大規模な構想と精緻な技能を駆使する融合体系にあり、当課題を解決する格好の方法である。
下記は部材の細部分類からの試作用の例示であり、提出図面に用いていくものである。
なお、作庭は樹石を配した空間の造形だけに止めず、滝・沢流れ・波打ちなどによる水流と水音で日本庭園に欠かせない水の情緒を彩りし、空間プラス時間の要素を必須とした制作とする。
記
2007001275.tif 000003
備考  上の部材分類表は、天水日当たりのない場所や室内事業用等向けにオール模造樹石による作庭に応用するための例示。
灌水・施肥・採光などを管理できれば、模造樹を鉢植樹に替えて模造石と混成しさらに興趣深い作品にできる。
【発明の効果】
【０００５】  各区に分類された部材の好みのフィギュアを使い、風景画を描く感覚で小空間に低費用と自作でもって風景式庭園を占有し鑑賞出来るようになり、作るもことも持つことも至難だった日本式風景庭園の普及に一役担うものであり、強いては風景式庭園作りを通じて自然愛護精神の昂揚にも連なっていくものである。
【発明を実施するための最良の形態】
【０００６】  地上の庭園では樹石は固定されていて移設などの変動は原則的にできないが、遠望風景式盤上庭園では部材の移動、撤去、追加または一部全部の組替えが簡単でいくらでも風景構成のやり直しが可能である。
したがってその施工と完了まで、部材の選択から組合せと配置方法まで作者自身が納得いくまで試し重ねて制作する。
【図面の簡単な説明】
【０００７】
【図１】  本発明による制作システムの部材海浜風景用の図例である
【図２】  本発明による設計平面図である
【図３】  本発明による施工立面図である
【符号の説明】
【０００８】１    グラウンド    長方角水盤  バックパネル挿込式
２    フイギャー    模造樹      エゾ松多幹立
３      〃            〃        岩石埋込用エゾ松小樹
４      〃          模造滝石    滝水循環動力内蔵
５      〃          模造立石
６      〃          模造磯型石
７      〃          天然小玉石
８      〃          天然玉砂利
９    バック        連山パネル
１０    〃          青空パネル
【図１】
2007001275.tif 000004
2007001275.tif 000005
2007001275.tif 000006
【図２】
2007001275.tif 000007
【図３】
2007001275.tif 000008
【手続補正書】
【提出日】平成17年9月9日(2005.9.9)
【手続補正２】
【補正対象書類名】図面
【補正対象項目名】全図
【補正方法】変更
【補正の内容】
【図１】
2007001275.tif 000009
【図２】
2007001275.tif 000010
【図３】
2007001275.tif 000011
【図４】
2007001275.tif 000012
【図５】
2007001275.tif 000013
【図６】
2007001275.tif 000014
【図７】
2007001275.tif 000015
【図８】
2007001275.tif 000016
【図９】
2007001275.tif 000017
【図１０】
2007001275.tif 000018
【図１１】
2007001275.tif 000019
【図１２】
2007001275.tif 000020
【手続補正３】
【補正対象書類名】明細書
【補正対象項目名】０００７
【補正方法】変更
【補正の内容】
【０００７】
【図１】本発明制作システムの部材  長方角水盤
【図２】〃              模造樹エゾ松多幹立
【図３】〃              岩石埋込用エゾ松小樹
【図４】〃              模造滝石
【図５】〃              模造立石
【図６】〃              模造磯型石
【図７】〃              天然小玉石
【図８】〃              天然玉砂利
【図９】〃              連山パネル
【図１０】〃              青空パネル
【図１１】本発明制作システムの部材による設計平面図
【図１２】本発明制作システムによる施工完成図
【手続補正４】
【補正対象書類名】明細書
【補正対象項目名】０００８
【補正方法】変更
【補正の内容】
【０００８】１      フイギャー  模造磯型石２        〃        模造立石３        〃        模造滝石４        〃        滝石埋込用模造エゾ松５      バック      連山パネル６        〃        青空パネル７      グラウンド  長方角水盤  パネル差込式８      フイギャー  天然小玉石９        〃        天然玉砂利１０      〃        模造エゾ松多幹立